【手続補正書】
【提出日】平成30年6月21日(2018.6.21)
【手続補正１】
【補正対象書類名】特許請求の範囲
【補正対象項目名】全文
【補正方法】変更
【補正の内容】
【特許請求の範囲】
【請求項１】
ソフトスタート機能を備え、並列に連結された電圧安定化部及び負荷部を含む負荷に電力を供給するのに適した電源装置であって、
電源電圧を生成する電力部と、
前記電力部に連結され、前記電圧安定化部に連結するのに適しており、前記電源電圧、第１制御信号及び少なくとも１つの第２制御信号を受け取り、前記第１制御信号及び前記少なくとも１つの第２制御信号に応じて前記電源電圧をソフトスタート電流に変換し、前記ソフトスタート電流又は前記電源電圧を前記電圧安定化部に出力するソフトスタート調整部と、
前記電力部に連結され、前記電圧安定化部に連結するのに適しており、前記電力部と前記電圧安定化部との間に形成されるループの電流を測定して、電流検出信号を生成する電流検出部と、
前記電流検出部に連結され、前記電流検出信号を受け取り、前記第１制御信号及び前記少なくとも１つの第２制御信号を生成する制御部と、
を含むソフトスタート機能を備える電源装置。
【請求項２】
前記制御部に連結され、前記制御部により生成される第３制御信号を受け取り、該第３制御信号を表示する表示部をさらに備え、
前記制御部は、さらに、前記電流検出部からの前記電流検出信号の電流値と、所定の電流値とを比較して、それに応じて、短絡条件を示す前記第３制御信号を生成するとともに、前記ソフトスタート調整部をオフにする、
請求項１に記載のソフトスタート機能を備える電源装置。
【請求項３】
前記電流検出信号の電流値が前記所定の電流値より小さいとき、これは短絡が起きていないことを示し、前記制御部は、前記表示部に対して低論理レベルの前記第３制御信号を生成し、
前記電流検出信号の電流値が前記所定の電流値より大きいとき、これは短絡が起きていることを示し、前記制御部は、高論理レベルの前記第３制御信号を生成する、
請求項２に記載のソフトスタート機能を備える電源装置。
【請求項４】
前記制御部に連結され、前記電圧安定化部に並列に連結するのに適しており、前記電圧安定化部の電圧を測定して電圧検出信号を生成するとともに、該電圧検出信号を前記制御部に供給する電圧検出部をさらに備える、
請求項１に記載のソフトスタート機能を備える電源装置。
【請求項５】
前記ソフトスタート調整部は、
前記電力部及び前記制御部に連結され、前記電圧安定化部に連結するのに適しており、前記電源電圧及び前記第１制御信号を受け取り、前記第１制御信号に応じて前記電源電圧を前記電圧安定化部に出力する第１切換部と、
前記制御部に連結されるとともに、前記第１切換部に並列に連結され、前記電源電圧及び前記少なくとも１つの第２制御信号を受け取り、前記電源電圧を前記ソフトスタート電流に変換して、該ソフトスタート電流を前記電圧安定化部に出力する電流調整部と、
を含む、
請求項１に記載のソフトスタート機能を備える電源装置。
【請求項６】
前記電流調整部は、
第１端子及び第２端子を有し、該第１端子が前記電力部に連結される第１抵抗器と、
前記第１抵抗器の前記第２端子、前記制御部、及び、前記電圧安定化部に連結され、前記少なくとも１つの第２制御信号を受け取る第２切換部と、
を含む、
請求項５に記載のソフトスタート機能を備える電源装置。
【請求項７】
前記ソフトスタート調整部は、前記第１制御信号、前記少なくとも１つの第２制御信号、及び、複数の第４制御信号に応じて、前記電源電圧を前記ソフトスタート電流にさらに変換し、前記ソフトスタート電流又は前記電源電圧を前記電圧安定化部に出力し、
前記制御部は、前記電流検出信号をさらに受け取り、前記第１制御信号、前記少なくとも１つの第２制御信号、及び、前記複数の第４制御信号を生成する、
請求項１に記載のソフトスタート機能を備える電源装置。
【請求項８】
前記ソフトスタート調整部は、
前記電力部及び前記制御部に連結され、前記電圧安定化部に連結するのに適しており、前記電源電圧及び前記第１制御信号を受け取り、前記第１制御信号に応じて前記電源電圧を前記電圧安定化部に出力する第３切換部と、
前記制御部に連結されるとともに、前記第３切換部に並列に連結され、前記電源電圧、前記少なくとも１つの第２制御信号、及び、前記複数の第４制御信号を受け取り、前記電源電圧を前記ソフトスタート電流に変換して、該ソフトスタート電流を前記電圧安定化部に出力する電流調整部と、
を含む、
請求項７に記載のソフトスタート機能を備える電源装置。
【請求項９】
前記電流調整部は、
連続して直列に連結されるＮ（Ｎは１より大きい正の整数）個の第２抵抗器であって、該第２抵抗器の１番目の抵抗器が前記電力部に連結されるＮ個の第２抵抗器と、
前記Ｎ個の第２抵抗器のＮ番目の抵抗器、前記制御部、及び、前記電圧安定化部に連結され、前記少なくとも１つの第２制御信号を受け取る第４切換部と、
（Ｎ−１）個の第５切換部であって、ｉ（０＜ｉ≦Ｎ−１）番目の第５切換部と（ｉ＋１）番目の第２抵抗器とが並列に連結され、該（Ｎ−１）個の第５切換部が前記制御部にそれぞれ連結され、前記複数の第４制御信号を受け取る（Ｎ−１）個の第５切換部と、
を含む、
請求項８に記載のソフトスタート機能を備える電源装置。
【請求項１０】
前記少なくとも１つの第２制御信号の数はＮ（Ｎは１以上の正の整数）であり、
前記ソフトスタート調整部は、
連続して直列に連結されるＮ個の第３抵抗器であって、前記第３抵抗器の１番目の抵抗器が前記電力部に連結されるＮ個の第３抵抗器と、
Ｎ番目の前記第３抵抗器、前記制御部、及び、前記電圧安定化部に連結され、前記第１制御信号を受け取る第６切換部と、
Ｎ個の第７切換部であって、ｉ（０＜ｉ≦Ｎ）番目の前記第７切換部とｉ番目の前記第３抵抗器が並列に連結され、前記Ｎ個の第７切換部が前記制御部にそれぞれ連結され、前記少なくとも１つの第２制御信号を受け取るＮ個の第７切換部と、
を含む、
請求項１に記載のソフトスタート機能を備える電源装置。
【請求項１１】
保護機構を備える電源装置であって、
電源電圧を生成する電力部と、
前記電力部に連結され、前記電源電圧及び複数の制御信号を受け取り、該複数の制御信号に応じて前記電源電圧をソフトスタート電流に変換し、該ソフトスタート電流を電圧安定化部に出力するか、前記電源電圧を出力するか、あるいは、前記電源電圧の出力を止めるソフトスタート調整部と、
前記ソフトスタート調整部に連結され、前記ソフトスタート電流又は前記電源電圧を出力するのに適した出力端部と、
前記出力端部に連結され、該出力端部の電流状態及び電圧状態の少なくとも一方を検出して、検出信号を生成する検出部と、
前記検出部及び前記ソフトスタート調整部に連結され、前記検出信号を受け取り、前記複数の制御信号を生成する制御部と、
を含む保護機構を備える電源装置。
【請求項１２】
前記出力端部の前記電流状態及び前記電圧状態の少なくとも一方は、前記ソフトスタート電流の前記電流値及び前記出力端部の電圧値の少なくとも一方と、電圧／電流保護回路により生成された検出信号／事象により生成される検出信号とを含む、
請求項１１に記載の保護機構を備える電源装置。
【請求項１３】
前記制御部が複数の前記検出信号を受け取ると、該制御部は、それに応じて、前記保護機構を備える前記電源装置の現在の動作状況又は状態と、前記複数の検出信号の電流値及び電圧値の少なくとも一方とに応じて、前記制御信号を生成する、
請求項１１に記載の保護機構を備える電源装置。
【請求項１４】
前記現在の動作状態は、前記ソフトスタート調整部のソフトスタート動作が終了したか否か、前記保護機構を備える前記電源装置が既に動作したとき、前記出力端部が負荷に接続されているか否か、又は、前記保護機構を備える前記電源装置が初めて負荷電流を検出したとき、短絡保護をトリガする条件が達成されるか否か、を含む、
請求項１３に記載の保護機構を備える電源装置。
【請求項１５】
保護機構を備える電源装置であって、
電源電圧を生成する電力部と、
前記電力部に連結され、前記電源電圧及び制御信号を受け取り、該制御信号に応じて前記電源電圧を出力する主電源スイッチと、
前記主電源スイッチに連結され、前記電源電圧を出力するのに適した出力端部と、
前記出力端部に連結され、前記出力端部の電流状態及び電圧状態の少なくとも一方を検出して、検出信号を生成する検出部と、
前記検出部及び前記主電源スイッチに連結され、前記検出信号を受け取り、前記制御信号を生成する制御部と、
を含む保護機構を備える電源装置。
【請求項１６】
前記制御部に連結され、カウンタリング値及びタイミング値の少なくとも一方を前記制御部に供給するカウンタリング／タイミング部をさらに備える、
請求項１５に記載の保護機構を備える電源装置。
【請求項１７】
前記出力端部の前記電流状態及び前記電圧状態の少なくとも一方は、前記出力端部の電流値及び電圧値の少なくとも一方と、電圧／電流保護回路により生成された検出信号／事象とを含む、
請求項１５に記載の保護機構を備える電源装置。
【請求項１８】
前記制御部が前記検出信号／事象を受け取ると、前記制御部は、前記複数の検出信号の電流値及び電圧値の少なくとも一方と、前記保護機構を備える前記電源装置の前記現在の動作状態との少なくともいずれかに応じて、対応する制御信号を生成する、
請求項１７に記載の保護機構を備える電源装置。
【請求項１９】
前記現在の動作状態は、前記保護機構を備える前記電源装置の動作開始前後において、前記出力端部が前記負荷に接続されているか否か、又は、前記保護機構を備える前記電源装置が前記負荷に接続されたときあるいはその後に、短絡が起きたか否か、を含む、
請求項１８に記載の保護機構を備える電源装置。
【請求項２０】
前記制御部は、前記現在の動作状態に応じて、動的に又は再プログラミングされるように構成される制御機構をさらに備え、
前記制御機構は、前記制御部が前記検出信号を受け取ったとき、該制御部が前記制御機構の設定値に応じて、前記対応する制御信号を生成するように、短絡電流保護閾値及び短絡保護遅延時間閾値の少なくとも一方の設定値を含む、
請求項１９に記載の保護機構を備える電源装置。
【請求項２１】
前記保護機構を備える前記電源装置は、電源オン段階中のシステム動作の最初の初期化動作し、
前記制御部内の前記短絡電流保護閾値及び前記短絡保護遅延時間閾値の少なくとも一方の設定値は、負荷が接続されているときの突入電流の大きさ及びエネルギが分割されるように、感度が高まるにつれてより低い値に設定され、
突入電流を低下して分割する処理を終了した後、前記制御部内の前記短絡電流保護閾値及び前記短絡保護遅延時間閾値の少なくとも一方の設定値は、正常な動作状態下で短絡保護を実施するように、感度が小さくなるにつれてより高い値に設定される、
請求項２０に記載の保護機構を備える電源装置。
【請求項２２】
前記制御部が強制的に前記主電源スイッチを制御して通電する所定の時間間隔及び所定のカウンタ数の少なくとも一方の後、前記受け取った検出信号の電流値がまだ短絡電流保護閾値よりも大きく、前記回路が短絡していると前記制御部が判別するとき、前記制御部は、前記保護機構を備える前記電源装置が動作を停止するように、前記対応する制御信号を生成するか、前記制御部は、前記回路が短絡していることを示す警告を生成するか、前記制御部は、前記保護機構を備える前記電源装置を保護状態でロックするか、あるいは、前記保護機構を備える前記電源装置を完全にオフにする、
請求項１５に記載の保護機構を備える電源装置。